(57)【要約】【課題】ランニングコストを低く抑え、かつ、文字・図形が明るく際立って見易い道路標識を提供する。【解決手段】文字、図形等を切欠形成した貫通部２を有する剛性の高いベース板１と、ベース板１の前面に一体状に積層された有色彩の再帰性反射シート３と、白色系の半透明の反射シート４を一体状に透明アクリル板５に積層して、ベース板１の後面側に固着された裏当て板２０とを、備え、裏当て板２０の後方位置にＬＥＤ照明器６を設けている。【選択図】図１
2014084679.tif 000002
【特許請求の範囲】
【請求項１】
文字、図形等を切欠形成した貫通部（２）を有する剛性の高いベース板（１）と、
該ベース板（１）の前面に一体状に積層された有色彩の再帰性反射シート（３）と、
白色系の半透明の反射シート（４）を一体状に透明アクリル板（５）に積層して、上記ベース板（１）の後面側に固着された裏当て板（２０）とを、備え、
該裏当て板（２０）の後方位置にＬＥＤ照明器（６）を設けたことを特徴とする道路標識。
【請求項２】
使用状態に於て、上記ベース板（１）に前方から光が照射され上記貫通部（２）に射し込んだ入射光（Ｒ０）が上記反射シート（４）に当たって反射光（Ｒ２）として前方へ反射されると共に、上記裏当て板（２０）の後方から上記ＬＥＤ照明器（６）によって光が照射され上記透明アクリル板（５）及び上記反射シート（４）を透過して上記貫通部（２）から前方へ透過光（Ｒ１）として放射されるように構成されている請求項１記載の道路標識。
【請求項３】
上記ＬＥＤ照明器（６）は、保持杆（９）に固着された発光体（８）と、該発光体（８）を取り囲むように上記保持杆（９）に取着される透明な密封防水カバー部材（７）とを、有し、該密封防水カバー部材（７）によって上記発光体（８）への水の浸入を防止している請求項１又は２記載の道路標識。
【発明の詳細な説明】
【技術分野】
【０００１】
本発明は、道路標識に関する。
【背景技術】
【０００２】
従来、逆光線でも表示面に示した文字又は図形を見易くするように工夫された道路標識が提案されている（特許文献１参照）。
【先行技術文献】
【特許文献】
【０００３】
【特許文献１】特許第３８７５９０３号公報
【発明の概要】
【発明が解決しようとする課題】
【０００４】
しかし、従来の道路標識は、表裏両面から光が照射された場合には、表示面のコントラストが悪くなり、白色部分の文字・図形がつぶれて標示内容を視認することができなくなっていた。
そこで、表示面の裏面側から蛍光灯で光を当てる内照式の道路標識が提案されている。しかし、この内照式の道路標識は、消費電力が多いため、ランニングコストが高く、昨今の節電要請に反するという欠点があった。また、蛍光灯を包囲して雨水や砂塵から保護するためのケーシングが必要となり、全体が大型化し重量も大きくなるため、取り扱いにくく施工上不便であった。
【０００５】
そこで、本発明は、ランニングコストを低く抑え、かつ、文字・図形が明るく際立って見易い道路標識を提供することを目的とする。
【課題を解決するための手段】
【０００６】
本発明に係る道路標識は、文字、図形等を切欠形成した貫通部を有する剛性の高いベース板と、該ベース板の前面に一体状に積層された有色彩の再帰性反射シートと、白色系の半透明の反射シートを一体状に透明アクリル板に積層して、ベース板の後面側に固着された裏当て板とを、備え、該裏当て板の後方位置にＬＥＤ照明器を設けたものである。
【０００７】
また、使用状態に於て、上記ベース板に前方から光が照射され上記貫通部に射し込んだ入射光が上記反射シートに当たって反射光として前方へ反射されると共に、上記裏当て板の後方から上記ＬＥＤ照明器によって光が照射され上記透明アクリル板及び上記反射シートを透過して上記貫通部から前方へ透過光として放射されるように構成されているものである。
また、上記ＬＥＤ照明器は、保持杆に固着された発光体と、該発光体を取り囲むように上記保持杆に取着される透明な密封防水カバー部材とを、有し、該密封防水カバー部材によって上記発光体への水の浸入を防止しているものである。
【発明の効果】
【０００８】
本発明の道路標識によれば、白色系の反射シートが明るく光って、遠くからでもはっきりと目立って見えて、標示内容が視認し易い。文字、図形が際立って、非常に読み易い。比較的消費電力が少なく、ランニングコストを低減できる。逆光対策が必要な設置場所に、容易に取り付けることができる。
【図面の簡単な説明】
【０００９】
【図１】本発明の実施の一形態を示した断面図である。
【図２】本発明の道路標識の一例を示した斜視図である。
【図３】ＬＥＤ照明器の拡大断面図である。
【図４】ＬＥＤ照明器の配置を示した簡略正面図である。
【発明を実施するための形態】
【００１０】
以下、実施の形態を示す図面に基づき本発明を詳説する。
図１と図２に示すように、本発明の道路標識は、文字、図形等を切欠形成した貫通部２を有する剛性の高いベース板１を備え、ベース板１の前面に一体状に積層された有色彩の再帰性反射シート３を有している。
ベース板１は、Ａｌ製板材から成る。また、文字、図形等とは、文字、図形、地図、交通標識を言う。
再帰性反射シート３は、ベース板１の前面に、例えば、熱融着により一体に積層されている。再帰性反射シート３の色彩は、青色又は緑色が好ましい。
【００１１】
本発明の道路標識は、白色系の半透明の反射シート４を一体状に透明アクリル板５に積層して、ベース板１の後面側に固着された裏当て板２０を、備えている。さらに、裏当て板２０の後方位置にＬＥＤ照明器６を設けている。
裏当て板２０は、少なくとも貫通部２を後方から閉じるように、ベース板１の後面の一部に配設され、Ａｌ製型材から成る取着具１０によってベース板１の後面側に固着されている。裏当て板２０の外周端縁部と取着具１０との間には、シリコン系材料から成るコーキング材１３が介設されている。
【００１２】
本発明の道路標識は、使用状態に於て、ベース板１に前方から光が照射され貫通部２に射し込んだ入射光Ｒ０が反射シート４に当たって反射光Ｒ２として前方へ反射されている。また、裏当て板２０の後方からＬＥＤ照明器６によって光が照射され透明アクリル板５及び反射シート４を透過して貫通部２から前方へ透過光Ｒ１として放射されている。
即ち、本発明の道路標識は、逆光線となった場合でも、前方からの光の反射光Ｒ２とＬＥＤ照明器６による透過光Ｒ１とが合わさって、ベース板１の貫通部２が明るく輝き、青色又は緑色の部分から白色の文字・図形が際立って、標示内容が認識し易い。さらに言えば、ＬＥＤ照明器６が消灯状態であっても、白色系の反射シート４は、前方からの光を、再帰性反射シート３よりも多く反射させ、白色の文字・図形が目立って読み易い。
【００１３】
図３と図４に示すように、ＬＥＤ照明器６は、断面コ字形状の保持杆９に固着された発光体８と、発光体８を取り囲むように保持杆９に取着される透明な密封防水カバー部材７とを、有している。ＬＥＤ照明器６は、密封防水カバー部材７によって発光体８への水の浸入を防止している。
発光体８は、白色系の発光ダイオードから成り、帯状基板１４の複数個が所定のピッチで組込まれている。発光体８と帯状基板１４は、その表面に防湿のためのフッ素コーティング層１６が形成されている。
保持杆９は、Ａｌ製の型枠材（フレーム部材）であって、開口部を前方に向けている。保持杆９の内部後奥面には、複数個の発光体８が組み込まれた帯状基板１４が固着されている。保持杆９は、矩形状に組み立てられた外枠３０の内部に、左右の縦杆を連結するように複数本が左右方向に取り付けられて、外枠３０の補強部材として兼用されている。なお、図１では、外枠３０を図示省略している。
密封防水カバー部材７は、正面視帯板状の透明樹脂（アクリル）製板材であって、保持杆９の開口部近傍に設けられた凹溝１９，１９に差し込まれて嵌着されている。密封防水カバー部材７の前面側上下両端部には、防水のためのシリコンコーキング部１８，１８が形成されている。このように、密封防水カバー部材７は、発光体８を包囲して密封状の防水空間１５を形成している。この構成により、防水空間１５には、水が吹き付けられても浸水せず、かつ、粉塵が内部に浸入しないように防水処理が施されている。
【００１４】
上述した本発明の道路標識の作用について説明する。
本発明の道路標識を、道路上の地面から所定の高さ寸法となるように配設（設置）して、前方から自動車のヘッドライトを照射し、かつ、ＬＥＤ照明器６を点灯させる。この際、前方からのヘッドライトの光の大半は、ベース板１の前面の再帰性反射シート３に反射し、青色又は緑色の光を放つ。なおかつ、ヘッドライトの光の一部が、貫通部２に射し込んで反射シート４に当たり、反射光Ｒ２として前方へ反射される。また、裏当て板２０の後方からＬＥＤ照明器６によって光が照射され、透明アクリル板５及び反射シート４を透過して貫通部２から前方へ透過光Ｒ１として放射している。
即ち、自動車のドライバーが前方から本発明の道路標識を見た際、前方からのヘッドライトの光の反射光Ｒ２と、後方のＬＥＤ照明器６による透過光Ｒ１とが、白色系の反射シート４を輝かせて、再帰性反射シート３より明るく見える。なお、実験を行って得た使用状態における反射シート４の照度は、反射光Ｒ２による照度が７９６．１lx（換算値）となり、透過光Ｒ１による照度が６７０．０lx（実測値）となり、これらを合計して１４６６．１lxとなることが判っている。従って、本発明の道路標識では、青色又は緑色の基盤から白色の文字・図形が際立って、標示内容が認識し易い。
【００１５】
なお、本発明は、設計変更可能であって、例えば、保持杆９は、矩形状外枠３０の上下の横杆を連結するように複数本が上下方向に取り付けられていても良い。
【００１６】
以上のように、本発明に係る道路標識は、文字、図形等を切欠形成した貫通部２を有する剛性の高いベース板１と、ベース板１の前面に一体状に積層された有色彩の再帰性反射シート３と、白色系の半透明の反射シート４を一体状に透明アクリル板５に積層して、ベース板１の後面側に固着された裏当て板２０とを、備え、裏当て板２０の後方位置にＬＥＤ照明器６を設けたので、白色系の反射シート４が再帰性反射シート３より一層明るく光って、遠くからでもはっきりと目立って見えて、標示内容が視認し易い。文字、図形等が際立って、非常に読み易い。比較的消費電力が少なく、ランニングコストを低減できる。逆光対策が必要な設置場所に、容易に取り付けることができる。
【００１７】
また、使用状態に於て、ベース板１に前方から光が照射され貫通部２に射し込んだ入射光Ｒ０が反射シート４に当たって反射光Ｒ２として前方へ反射されると共に、裏当て板２０の後方からＬＥＤ照明器６によって光が照射され透明アクリル板５及び反射シート４を透過して貫通部２から前方へ透過光Ｒ１として放射されるように構成されているので、逆光線でも表示面に示した文字又は図形が見易い。即ち、表裏両面から光が照射された場合でも、表示面のコントラストが良く、白色部分の文字・図形がつぶれることなく、標示内容を視認することができる。
【００１８】
また、ＬＥＤ照明器６は、保持杆９に固着された発光体８と、発光体８を取り囲むように保持杆９に取着される透明な密封防水カバー部材７とを、有し、密封防水カバー部材７によって発光体８への水の浸入を防止しているので、ＬＥＤ照明器６全体を覆うケーシングを必要とせず、（枠材のみで構成可能であって、）軽量化でき、かつ、構造が簡素で、施工上取り扱いが有利である。また、従来の蛍光灯と比較して、消費電力が少なく、また、交換の手間を省くことができ、ランニングコストを低く抑えることができる。
【符号の説明】
【００１９】
１  ベース板
２  貫通部
３  再帰性反射シート
４  反射シート
５  透明アクリル板
６  ＬＥＤ照明器
７  密封防水カバー部材
８  発光体
９  保持杆
２０  裏当て板
Ｒ０  入射光
Ｒ１  透過光
Ｒ２  反射光
【図１】
2014084679.tif 000003
【図２】
2014084679.tif 000004
【図３】
2014084679.tif 000005
【図４】
2014084679.tif 000006